(57)【要約】【課題】電源のＯＮ・ＯＦＦ及び測定レンジ切替を別個のスイッチで行い、特に、電源スイッチは、テストリードに設けた近接スイッチにより実現することにより、接点不良による故障をなくし、また、極めて操作性に優れた測定装置を提供する。【解決手段】対をなすテストリード３（３Ａ、３Ｂ）の一方のテストリード３Ａに電気信号を発するセンサ部５１を設け、他方のテストリード３Ｂにセンサ部５１に作用する作用部５２を設け、テストリード３Ａ、３Ｂを離接させることにより、センサ部５１と作用部５２とを離接させて電気信号のＯＮ・ＯＦＦを行い、装置本体２の電源のＯＮ・ＯＦＦを行う。【選択図】図１
2013113822.tif 000002
【特許請求の範囲】
【請求項１】
装置本体に接続された一対のテストリードを用いて被測定物の物理量を測定する測定部と、測定結果を表示する表示部とを備えた測定装置において、
前記対をなすテストリードの一方のテストリードに制御信号を発するセンサ部を設け、他方のテストリードに前記センサ部に作用する作用部を設け、前記テストリードを離接させることにより、前記センサ部と前記作用部とを離接させて前記制御信号のＯＮ・ＯＦＦを行い、前記装置本体の電源のＯＮ・ＯＦＦを行うことを特徴とする測定装置。
【請求項２】
前記測定装置は、前記装置本体が一方のテストリードに設けられた携帯用テスタであって、前記センサ部は、前記装置本体が設けられたテストリードに設けられ、前記対をなすテストリードは、リード線で接続されていることを特徴とする請求項１に記載の測定装置。
【請求項３】
前記装置本体の側面にホルダを設け、前記他方のテストリードは、前記ホルダに着脱自在に取付けられ、前記ホルダに前記他方のテストリードを取付けることにより、前記装置本体の電源がＯＦＦとされ、前記ホルダから前記他方のテストリードを取り外すことにより、前記装置本体の電源がＯＮとされることを特徴とする請求項２に記載の測定装置。
【請求項４】
前記測定装置は、前記装置本体に前記対をなすテストリードがリード線で接続されているデジタルマルチメータであることを特徴とする請求項１に記載の測定装置。
【請求項５】
前記装置本体の側面にホルダを設け、前記対をなすテストリードは互いに接触或いは近接して前記ホルダに着脱自在に取付けられ、前記ホルダに前記対をなすテストリードを取付けることにより、前記装置本体の電源がＯＦＦとされ、前記ホルダから前記対をなすテストリードを取り外すことにより、前記装置本体の電源がＯＮとされることを特徴とする請求項４に記載の測定装置。
【請求項６】
前記装置本体に前記表示部が一体に設けられていることを特徴とする請求項１〜５のいずれかの項に記載の測定装置。
【請求項７】
前記表示部は、前記装置本体とは別体として設けられていることを特徴とする請求項１〜５のいずれかの項に記載の測定装置。
【発明の詳細な説明】
【技術分野】
【０００１】
本発明は、測定レンジ切替スイッチにより、測定対象である例えば電圧、電流、電気抵抗等の物理量の測定が可能であり、測定結果を表示部により表示するデジタルマルチメータ、携帯用テスタなどのような測定装置に関し、特に、電源のＯＮ・ＯＦＦを行う電源スイッチをテストリードに設置した測定装置に関するものである。
【背景技術】
【０００２】
従来、測定レンジ切替スイッチにより、測定対象である例えば電圧、電流、電気抵抗等の物理量の測定が可能であり、測定結果を表示部により表示する測定装置、即ち、デジタルマルチメータが広く使用されている（例えば、特許文献１を参照）。デジタルマルチメータ１Ａの一例を、本願添付の図５（ａ）、（ｂ）に示す。
【０００３】
本例に示すように、通常、デジタルマルチメータ１Ａは、メータ本体２と、メータ本体２にリード線３０（３０Ａ、３０Ｂ）で接続された一対のテストリード３（３Ａ、３Ｂ）とにて構成される。各テストリード３は、電極部３１（３１Ａ、３１Ｂ）及び把持部３２（３２Ａ、３２Ｂ）にて構成される。メータ本体２には、操作部４及び表示部５などが設けられている。
【０００４】
更に説明すると、図５（ｂ）に示すように、メータ本体２は、測定部２１、制御部２２、操作部４及び表示部５を備え、図５（ａ）に示すように、例えば直流電圧測定レンジ（ＤＣＶ）、交流電圧測定レンジ（ＡＣＶ）、抵抗測定レンジ（Ω）及び導通レンジ(導通）などの４つの測定レンジのうちから切替操作によって選択された任意の１つの測定レンジに対応する測定処理を実行可能に構成されている。
【０００５】
測定部２１は、Ａ／Ｄコンバータ及び演算部等を備え、制御部２２の制御に従って入力信号についての電気的パラメータ（電流量や電圧値）を所定の周期でサンプリングしてサンプリングデータを生成すると共に、生成したサンプリングデータに基づいて測定値（サンプリングデータに基づく演算値）を演算する。
【０００６】
制御部２２は、デジタルマルチメータ１Ａを総括的に制御する。具体的には、制御部２２は、デジタルマルチメータ１Ａに電源が投入された状態において、操作部４の切替操作によって選択された測定レンジで測定部２１に測定処理を実行させると共に、測定部２１による測定結果を表示部５に表示させる。
【０００７】
操作部４は、デジタルマルチメータ１Ａのメータ本体２に配設されたロータリスイッチ４１を備え、ロータリスイッチ４１の切替操作に応じた出力信号を制御部２２に出力する。この場合、ロータリスイッチ４１は、前述した測定レンジの内から任意の１つの測定レンジを切替操作可能に構成されている。表示部５は、制御部２２の制御下で測定部２１による測定結果（演算結果）を数値表示する。
【０００８】
ユーザは、メータを使用するに際して、メータ本体２に設けられた、操作部４の、本例ではロータリスイッチとされる測定レンジ切替スイッチ４１を回して、測定レンジ、即ち、ファンクションを設定する。つまり、デジタルマルチメータ１Ａは、図示するように、ロータリスイッチ４１を電源「ＯＦＦ」（電源ＯＮ・ＯＦＦ切替）位置から、例えば「ＤＣＶ」位置、或いは、「ＡＣＶ」位置などへと回し、電源をＯＮとすると共に、ファンクション（測定レンジ）を設定する。
【０００９】
また、図６（ａ）、（ｂ）及び図７に示すように、従来、一側のテストリード３Ａの把持部３２Ａにテスタ本体２を組み込んだ測定装置、所謂、携帯用テスタ１Ｂが使用されている（例えば、特許文献２を参照）。
【００１０】
携帯用テスタ１Ｂは、上述のように、一側のテストリード３Ａを構成するテスタ本体２と、該テスタ本体２の後端部２ｂからリード線３０を介して接続された他側テストリード３Ｂとを備えている。テスタ本体２の先端部２ａにはテストリード３Ａの探針（電極部）３１Ａが配置されている。
【００１１】
また、テストリード３Ａを構成するテスタ本体２は、デジタルマルチメータ１Ａに関連して説明したと同様に、図６（ｂ）に示すように、測定部２１、制御部２２、操作部４及び表示部５を備え、図６（ａ）に示すように、例えば直流若しくは交流電圧測定レンジ（Ｖ）及び抵抗測定レンジ（Ω）などの測定レンジのうちから切替操作によって選択された１つの測定レンジに対応する測定処理を実行可能に構成されている。
【００１２】
従って、テスタ本体２の操作部４には、電源ＯＦＦ（電源ＯＮ・ＯＦＦ切替）、及び、電圧（Ｖ）、抵抗（Ω）測定レンジ切替を行うことができるスライド式の測定レンジ切替スイッチ４１が設けられ、更に、電圧測定レンジの場合に直流電圧測定（ＤＣＶ）と交流電圧測定（ＡＣＶ）とのいずれかに切り替えたりするシフトキー４２、測定値のホールド機能等のような予め設定してある特定機能を動作させるための特定機能入力キー４３等が設置されている。また、テスタ本体２の後端部２ｂ側には、例えばＬＣＤから成る表示部５が配置されている。
【００１３】
更に、テスタ本体２における一側のテストリード３Ａの探針３１Ａの近傍位置には、該一側テストリード３Ａの探針３１Ａ方向を照射する例えば白色ＬＥＤなどから成るライト３３が配置されている。ライト３３の点灯操作は、特定機能入力キー４３の操作により行われる。
【００１４】
ユーザは、携帯用テスタ１Ｂを使用するに際して、テスタ本体２に設けられた、本例ではスライドスイッチとされる測定レンジ切替スイッチ４１をスライドさせて、測定レンジ、即ち、ファンクションを設定する。つまり、携帯用テスタ１Ｂは、図示するように、例えば、直流電圧（ＤＣＶ）と交流電圧（ＡＣＶ）、及び、電気抵抗（Ω）が測定可能であって、スライドスイッチ４１を「ＯＦＦ」位置から、例えば、電圧測定位置（Ｖ）へと摺動させて電源をＯＮとすると共に、ファンクションを設定する。
【先行技術文献】
【特許文献】
【００１５】
【特許文献１】特開２００８−２０２２８公報
【特許文献２】特開２００４−２０３６１号公報
【発明の概要】
【発明が解決しようとする課題】
【００１６】
上記特許文献１、２に記載のデジタルマルチメータ１Ａ、携帯用テスタ１Ｂ等のような測定装置では、上述のように、電源ＯＮ・ＯＦＦ及び測定レンジ切替は、ロータリスイッチ或いはスライドスイッチにて行われている。
【００１７】
電源ＯＮ・ＯＦＦ及び測定レンジ切替をロータリスイッチ或いはスライドスイッチで行った場合には、スイッチ接点の接触不良を起こす可能性がある。スイッチ接点の接触不良を回避するには、スイッチを構成する部材の機械的強度を高め、接触不良を起こさないような機構を採用することにより、確実なスイッチ作動を達成し得るが、スイッチ機構が複雑となり、スイッチ自体の大型化により、測定装置自体の小型化が困難になるという問題がある。また、操作性においても問題がある。
【００１８】
本発明者らの研究実験の結果によると、電源のＯＮ・ＯＦＦのための電源スイッチと測定レンジ切替のための測定レンジ切替スイッチとを別個に設け、特に、電源スイッチは、テストリードに設けた近接スイッチ（例えば磁気スイッチ）により実現することにより、接点不良による故障をなくし、また、極めて操作性に優れた測定装置を実現し得ることが分かった。
【００１９】
本発明の目的は、電源のＯＮ・ＯＦＦ及び測定レンジ切替を別個のスイッチで行い、特に、電源スイッチは、テストリードに設けた近接スイッチにより実現することにより、接点不良による故障をなくし、また、極めて操作性に優れた測定装置を提供することである。
【課題を解決するための手段】
【００２０】
上記目的は本発明に係る測定装置にて達成される。要約すれば、本発明は、装置本体に接続された一対のテストリードを用いて被測定物の物理量を測定する測定部と、測定結果を表示する表示部とを備えた測定装置において、
前記対をなすテストリードの一方のテストリードに制御信号を発するセンサ部を設け、他方のテストリードに前記センサ部に作用する作用部を設け、前記テストリードを離接させることにより、前記センサ部と前記作用部とを離接させて前記制御信号のＯＮ・ＯＦＦを行い、前記装置本体の電源のＯＮ・ＯＦＦを行うことを特徴とする測定装置である。
【００２１】
本発明の一実施態様によると、前記測定装置は、前記装置本体が一方のテストリードに設けられた携帯用テスタであって、前記センサ部は、前記装置本体が設けられたテストリードに設けられ、前記対をなすテストリードは、リード線で接続されている。また、好ましくは、前記装置本体の側面にホルダを設け、前記他方のテストリードは、前記ホルダに着脱自在に取付けられ、前記ホルダに前記他方のテストリードを取付けることにより、前記装置本体の電源がＯＦＦとされ、前記ホルダから前記他方のテストリードを取り外すことにより、前記装置本体の電源がＯＮとされる。
【００２２】
本発明の他の実施態様によると、前記測定装置は、前記装置本体に前記対をなすテストリードがリード線で接続されているデジタルマルチメータである。また、好ましくは、前記装置本体の側面にホルダを設け、前記対をなすテストリードは互いに接触或いは近接して前記ホルダに着脱自在に取付けられ、前記ホルダに前記対をなすテストリードを取付けることにより、前記装置本体の電源がＯＦＦとされ、前記ホルダから前記対をなすテストリードを取り外すことにより、前記装置本体の電源がＯＮとされる。
【００２３】
本発明の他の実施態様によると、前記装置本体に前記表示部が一体に設けられている。
【００２４】
本発明の他の実施態様によると、前記表示部は、前記装置本体とは別体として設けられている。
【発明の効果】
【００２５】
本発明によれば、電源のＯＮ・ＯＦＦのための電源スイッチと測定レンジ切替のための測定レンジ切替スイッチとを別個に設け、特に、電源スイッチは、近接スイッチをテストリードに設置することにより、接点不良による故障をなくすことができる。測定装置の不使用時には、両テストリードを近接、或いは、接触させて一体に固定された状態にて収納することにより電源をＯＦＦとし、両テストリードを分離することにより電源をＯＮとする構成とされるので、極めて操作性に優れており、また、利便性が高い。
【図面の簡単な説明】
【００２６】
【図１】図１（ａ）は、本発明に係る測定装置の一実施例である携帯用テスタの全体構成図であり、図１（ｂ）は、電気回路図の一例を示すブロック図であり、図１（ｃ）は、近接スイッチの一例の概略構成を示す図である。
【図２】図２（ａ）は、本発明に係る測定装置の一実施例である携帯用テスタの全体構成図であり、電源ＯＦＦの状態を示しており、図２（ｂ）及び図２（ｃ）は、一方のテストリードを他方のテストリードに取付けるためのホルダを説明する斜視図である。
【図３】本発明に係る測定装置の他の実施例で携帯用テスタの全体構成図である。
【図４】図４（ａ）は、本発明に係る測定装置の他の実施例であるデジタルマルチメータの全体構成図であり、図４（ｂ）は、電気回路図の一例を示すブロック図である。
【図５】図５（ａ）は、従来の測定装置の一例であるデジタルマルチメータの全体構成図であり、図５（ｂ）は、電気回路図の一例を示すブロック図である。
【図６】図６（ａ）は、従来の測定装置の一例である携帯用テスタの全体構成図であり、図６（ｂ）は、電気回路図の一例を示すブロック図である。
【図７】従来の測定装置の一例である携帯用テスタの全体構成斜視図である。
【発明を実施するための形態】
【００２７】
以下、本発明に係る測定装置を図面に則して更に詳しく説明する。
【００２８】
実施例１
図１及び図２を参照して、本発明に係る測定装置の一実施例について説明する。本発明の測定装置は、装置本体に接続された一対のテストリードを用いて被測定物の物理量、例えば、電圧、電流、電気抵抗等を測定する測定部と、測定結果を表示する表示部とを備えている。
【００２９】
図１に示すように、本実施例の測定装置１は、先に、図６、図７を参照して説明した一側のテストリード３Ａの把持部３２Ａに装置本体、即ち、テスタ本体２を組み込んだ携帯用テスタ１Ｂと同様の構成とされる携帯用テスタ１であるとして説明する。
【００３０】
本実施例にて携帯用テスタ１は、図１（ａ）に示すように、テスタ本体２が組み込まれた一側のテストリード３Ａと、テスタ本体２の後端部２ｂからリード線３０を介して接続された他側のテストリード３Ｂとを備えている。テスタ本体２の先端部２ａにはテストリード３Ａの探針（電極部）３１Ａが配置されている。テストリード３Ｂは、一端に電極部３１Ｂを備え、全体形状が細長形状の絶縁材で形成された棒状部材とされた把持部３２Ｂを有する、通常広く使用されている測定プローブとされる。つまり、テストリード３Ｂの先端部３ａには電極部としての探針３１Ｂが配置されており、残り部は把持部３２Ｂとされている。把持部３２Ｂの後端部３ｂからは、テスタ本体２と接続するリード線３０が延出している。また、探針３１Ｂに隣接して探針３１Ｂへの接触防止のための鍔６が形成されている。
【００３１】
また、テスタ本体２は、図６（ｂ）に示した従来構成と同様に、図１（ｂ）に示すように、測定部２１、制御部２２、操作部４及び表示部５を備え、例えば直流若しくは交流電圧測定レンジ（Ｖ）及び抵抗測定レンジ（Ω）などの測定レンジのうちから切替操作によって選択された任意の１つの測定レンジに対応する測定処理を実行可能に構成されている。
【００３２】
更に説明すると、本実施例の携帯用テスタ１では、操作部４には、電圧（Ｖ）、抵抗（Ω）等の測定レンジを切り替えることができるキー式の測定レンジ切替スイッチ４１が配置されているが、従来と異なり、測定レンジ切替スイッチ４１は、電源ＯＮ・ＯＦＦ機能は有していない。後述するように、電源スイッチ５０は、テストリード３Ａ、３Ｂに配置されている。
【００３３】
また、操作部４は、従来と同様に、電圧測定レンジの場合に直流電圧測定（ＤＣＶ）と交流電圧測定（ＡＣＶ）とのいずれかに切り替えたりするシフトキー４２、測定値のホールド機能等のような予め設定してある特定機能を動作させるための特定機能入力キー４３等を備えてある。更に、テスタ本体２の後端部２ｂ側には、例えばＬＣＤ（液晶ディスプレー）から成る表示部５が配置されている。
【００３４】
また、テスタ本体２における一側のテストリード３Ａの探針３１Ａの近傍位置には、該一側テストリード３Ａの探針３１Ａ方向を照射する例えば白色ＬＥＤなどから成るライト３３が配置されている。ライト３３の点灯操作は、特定機能入力キー４３の操作により行われる。
【００３５】
次に、本発明の特徴部の構成について説明する。
【００３６】
本実施例によれば、上述したように、従来の携帯用テスタ１Ｂにて操作部４に設けられていたスライド式の測定レンジ切替スイッチ４１が兼用していた電源スイッチは、測定レンジ切替スイッチ４１とは別体として、即ち、測定レンジ切替スイッチ４１とは分離して電源スイッチ５０として設けられる。
【００３７】
つまり、本実施例にて電源スイッチ５０は、対をなすテストリード３Ａ、３Ｂに設けた非接触スイッチ（近接スイッチ）にて行われる。近接スイッチ５０としては、種々の形態のものが使用され得るが、本実施例では、図１（ｃ）に示すような「磁気感応スイッチ（磁気近接スイッチ）」と言われる磁気スイッチが好適に使用される。磁気スイッチ５０は、電気信号を発するセンサ部（磁気センサ）５１と、前記センサ部５１に作用しセンサ部５１を作動させる作用部（磁石）５２とにて構成され、磁気センサ５１と磁石５２とを離間するか、或いは、近接させることにより電源のＯＮ・ＯＦＦ切替をなす。
【００３８】
本実施例では、テストリード３Ａをなすテスタ本体２に磁気センサ５１を組み込み、他方のテストリード３Ｂの先端部３ａに設けた探針３１Ｂに隣接して、本実施例では、鍔６の近傍の把持部３２Ｂに、磁石５２が設置される。
【００３９】
つまり、本実施例では、テストリード３Ａの把持部とされるテスタ本体２に、磁気センサ５１が取り付けられる。磁気センサ５１は、テスタ本体２内にて制御部２２の電源回路１２に電気的に接続されている。磁気センサ５１は、電源回路１２をＯＮ、ＯＦＦする制御信号を発生し、制御信号のＯＮ、ＯＦＦにより装置本体２の電源回路１２を駆動して電源のＯＮ、ＯＦＦを行う。即ち、磁気センサ５１は、磁石５２を近接させることによりＯＦＦとされ、電源回路１２をＯＦＦとし、テスタ本体２を非作動状態とする。一方、磁気センサ５１は、磁石５２を磁気センサ５１から離間させることによりＯＮとされ、電源回路１２をＯＮとし、テスタ本体２を動作状態とする。本実施例にて信号のＯＦＦは０（ゼロ）ボルト、ＯＮは例えば３ボルトなどの電圧が出力される状態を意味する。
【００４０】
本実施例によると、図２（ａ）、（ｂ）、（ｃ）に示すように、テストリード３Ａのテスタ本体２の側面には、テストリード３Ｂを接触、或いは、近接して着脱自在に保持するためのホルダを備えている。本実施例にてホルダ６０（６０ａ、６０ｂ）は、外方に面して開口が形成された、「Ｃ」字形状（図２（ｂ））或いは「Ｕ」字形状（図２（ｃ））の弾性部材、例えば、弾性を有するプラスチックにて形成される。従って、テストリード３Ｂは、不使用時には、ホルダ６０（６０ａ、６０ｂ）により、テスタ本体２の側面に固定して保持されている。この状態にて、テスタ本体２の磁気センサ５１は、テストリード３Ｂの磁石５２と近接状態に保持されており、従って、電源回路１２はＯＦＦであり、テスタ本体２は非動作状態とされる。
【００４１】
上記構成にて、テストリード３Ｂを、テストリード３Ａの本体部分２から取り外すと、磁気センサ５１はＯＮとされる。また、上述のように、テストリード３Ｂを、テストリード３Ａの本体部分にホルダ６０（６０ａ、６０ｂ）にて固定すると、磁気センサ５１はＯＦＦとされる。図２（ｃ）に示すように、ホルダ６０（６０ａ、６０ｂ）に保持されたときテストリード３Ａの磁気センサ５１とテストリード３Ｂの磁石５２とが近接状態に保持されるように、両テストリード３Ａ、３Ｂは位置決めする必要がある。位置決め手段としては、本実施例では、一方のテストリード３Ｂのホルダ保持領域の把持部３２Ｂに、軸線方向の規制手段として鍔６を設けたり、回転方向の規制手段として二方取り平面部７を設けることなどが採用される。
【００４２】
次に、本実施例の携帯用テスタ１の使用法について説明する。
【００４３】
先ず、ユーザは、テスタ１を使用するに際して、テストリード３Ｂを、テストリード３Ａの本体部分２から取り外す。これにより、磁気センサ５１はＯＮとなり、テスタ本体２は、電源ＯＮ状態となり、表示部５にも測定装置が動作状態にあることが表示される。その後、ユーザは、その表示を確認しながら、測定レンジ切替スイッチ４１を操作することにより、所定の測定対象項目、即ち、所定のファンクションに設定する。
【００４４】
その後、テストリード３（３Ａ、３Ｂ）をそれぞれの手に持って、被測定物に接触させて測定する。測定結果は、表示部５に表示される表示値を読むことによって得られる。
【００４５】
測定作業が終了すると、ユーザは、テストリード３Ｂを、ホルダ６０（６０ａ、６０ｂ）により、テスタ本体２の側面に固定して保持させる。これにより、テスタ本体２の磁気センサ５１は、テストリード３Ｂの磁石５２と近接状態に保持され、従って、電源回路１２はＯＦＦとなり、テスタ本体２は非動作状態とされる。
【００４６】
このように、本実施例によれば、対をなすテストリード３Ａ、３Ｂに電源のＯＮ・ＯＦＦのための電源スイッチ５０を測定レンジ切替のためのスイッチ４１とは別個に設け、特に、電源スイッチ５０として近接スイッチを使用することにより、接点不良による故障をなくしている。また、本実施例では、電源スイッチ５０は、磁気スイッチ５０とされ、一側のテストリード３Ａに磁気センサ５１を設置し、他側のテストリード３Ｂには磁石５２を設置し、両テストリード３Ａ、３Ｂを使用時には分離して使用することにより、磁気スイッチ５０をＯＮさせることができる。また、不使用時には、両テストリード３Ａ、３Ｂを近接、或いは、接触させて一体に固定された状態にて収納されるので、従来のようなスイッチ接点の接触不良をなくすことができると共に極めて操作性に優れており、また、利便性が高い。
【００４７】
実施例２
図３に、本発明の測定装置１の第二の実施例を示す。
【００４８】
図３にて、本実施例の測定装置１は、実施例１で説明した携帯用テスタ１と同様の構成とされる。ただ、実施例１では、テスタ本体２に一体に設けた表示部５が、実施例２では別体としてテスタ本体２とは分離して設けられている点において異なる。従って、同じ構成及び作用をなす部材には同じ参照番号を付し、実施例１の説明を援用し、詳しい説明は省略する。
【００４９】
上述のように、本実施例によると、表示部５がテスタ本体２とは別個に設けられており、従って、表示部５は、測定作業時に見易い位置に設置することができる。
【００５０】
ただ、本実施例では、表示部５をテスタ本体２から分離したために、テスタ本体２には、図示してはいないが、測定結果を表示部５へと送信するための送信回路、表示部５には、新たに、電源スイッチ５５、及び、図示してはいないが、電源回路、受信回路等が設けられている。
【００５１】
実施例３
図４に、本発明の測定装置の他の実施例を示す。
【００５２】
上記実施例１、２では、本発明の測定装置は、一側のテストリード３Ａにテスタ本体２を組み込んだ携帯用テスタ１であるとして説明した。しかし、本発明は、先に図５を参照して説明した、テストリード３（３Ａ、３Ｂ）がメータ本体２にリード線３０（３０Ａ、３０Ｂ）で接続されたデジタルマルチメータと同様の測定装置においても具現化し得る。
【００５３】
つまり、図４（ａ）に示すように、本実施例のデジタルマルチメータ１は、装置本体、即ち、メータ本体２と、メータ本体２から延びたプローブケーブル（リード線）３０（３０Ａ、３０Ｂ）に接続された一対のテストリード３（３Ａ、３Ｂ）とを備えている。
【００５４】
プローブケーブル３０（３０Ａ、３０Ｂ）は、電気回路部１０に対して取り外し自在に差し込まれる接続端子方式でも良く、電気回路部１０に対して固定的に接続された固定式のものでも良い。
【００５５】
メータ本体２には、操作部４と、測定結果を表示するＬＣＤ（液晶ディスプレー）とされる表示部５とを備えている。
【００５６】
本実施例にて操作部４は、本体ファンクション切替ボタン４１として押しボタン式のＡＣ（交流）電圧測定用の「ＡＣＶ」ボタン４１ａ、ＤＣ（直流）電圧測定用の「ＤＣＶ」ボタン４１ｂ、電流測定用の「Ａ」ボタン４１ｃ、抵抗測定用の「Ω」ボタン４１ｄ、及び、導通チェックのための「導通チェック」ボタン４１ｅ、を備えている。
【００５７】
本発明によれば、対をなすテストリード３Ａ、３Ｂの把持部３２Ａ、３２Ｂに電源スイッチ５０が設けられている。従って、図４に示す測定装置１には、メータ本体２に押しボタン式の電源ＯＮ・ＯＦＦスイッチ４４が設けられているが、省略することもできる。
【００５８】
電気回路部１０は、図５（ｂ）に示す従来構成と同じとされ、実施例１と同様に、測定部２１、制御部２２などを有し、更に、電源スイッチ５０からの信号を受信する電源回路１２が設けられている。
【００５９】
本実施例によれば、電源スイッチ５０は、実施例１で説明したと同様の図１（ｃ）に示すような非接触スイッチ５０とされる。つまり、非接触スイッチ５０としては、例えば、磁気センサ５１と磁石５２とにて構成され、磁気センサ５１と磁石５２とを離間するか、或いは、近接させることによりＯＮ・ＯＦＦ切替をなす「磁気感応スイッチ（磁気近接スイッチ）」と言われる磁気スイッチが好適に使用される。
【００６０】
本実施例では、テストリード３Ａの探針３１Ａに隣接して把持部３２Ａに磁気センサ５１を組み込み、他方のテストリード３Ｂの探針３１Ｂに隣接して把持部３２Ｂに磁石５２が設置される。
【００６１】
つまり、本実施例では、テストリード３Ａに取り付けられた磁気センサ５１は、テスタ本体２内にて制御部２２の電源回路１２に電気的に接続されている。実施例１で説明したように、磁気センサ５１は、磁石５２を離間させることによりＯＮとされ、電源回路１２をＯＮとし、テスタ本体２を動作状態とする。一方、磁気センサ５１は、磁石５２を近接させることによりＯＦＦとされ、電源回路１２をＯＦＦとし、テスタ本体２を非動作状態とする。
【００６２】
本実施例によると、図４（ａ）に示すように、テスタ本体２の側面には、テストリード３Ａ、３Ｂを互いに接触、或いは、近接して着脱自在に保持し得るように構成されたホルダ６０（６０ａ、６０ｂ）を備えている。本実施例にてホルダ６０（６０ａ、６０ｂ）は、実施例１で説明したと同様の構成とされ、図２（ｂ）、（ｃ）に示すように、外方に面して開口が形成された、本実施例では２本のテストリード３Ａ、３Ｂを保持し得るように、図２（ｃ）に示す「Ｕ」字形状の弾性部材、例えば、弾性を有するプラスチックにて形成される。従って、テストリード３Ａ、３Ｂは、不使用時には、ホルダ６０により、テスタ本体２の側面に一体的に固定して保持されている。この状態にて、テストリード３Ａの磁気センサ５１は、テストリード３Ｂの磁石５２と近接状態に保持されており、従って、電源回路１２はＯＦＦであり、テスタ本体２は非動作状態とされる。勿論、ホルダに保持されたときテストリード３Ａの磁気センサ５１とテストリード３Ｂの磁石５２とが近接状態に保持されるように、両テストリード３Ａ、３Ｂは位置決めする必要がある。位置決め手段としては、図４（ａ）、（ｂ）に示すように、各テストリード３Ａ、３Ｂのホルダ保持領域の把持部３２（３２Ａ，３２Ｂ）に、軸線方向の規制手段として鍔６を設けたり、回転方向の規制手段として二方取り平面部７（図２（ｃ）参照）を設けることなどが採用される。
【００６３】
上記構成にて、テストリード３Ａ、３Ｂを、テスタ本体２から取り外すと、テストリード３Ａ、３Ｂは分離され、磁気センサ５１と磁石５２とが離間し、磁気センサ５１はＯＮとされる。一方、上述のように、テストリード３Ａ、３Ｂを、テスタ本体２にホルダにて固定すると、磁気センサ５１と磁石５２とが接触或いは近接し、磁気センサ５１はＯＦＦとされる。
【００６４】
本実施例では、テストリード３Ａ、３Ｂを、テスタ本体２から取り外し、磁気センサ５１をＯＮとし、電源ＯＮ状態となると、表示部５に測定装置１が動作状態にあることが表示される。従って、ユーザは、その表示を確認しながらファンクションを切替ることができる。
【００６５】
次に、本実施例のデジタルマルチメータ１の使用法について説明する。
【００６６】
先ず、ユーザは、テスタ１を使用するに際して、テストリード３Ａ、３Ｂを、テスタ本体２から取り外す。これにより、磁気センサ５１はＯＮとなり、テスタ本体２は、電源ＯＮ状態となり、表示部５にも測定装置１が動作状態にあることが表示される。その後、ユーザは、その表示を確認しながら、測定レンジ切替ボタン４１としてのＡＣ（交流）電圧測定用の「ＡＣＶ」ボタン４１ａ、ＤＣ（直流）電圧測定用の「ＤＣＶ」ボタン４１ｂ、電流測定用の「Ａ」ボタン４１ｃ、抵抗測定用の「Ω」ボタン４１ｄ、及び、導通チェックのための「導通チェック」ボタン４１ｅ、を操作することにより、所定の測定対象項目、即ち、所定のファンクションに設定する。
【００６７】
その後、テストリード３（３Ａ、３Ｂ）をそれぞれの手に持って、被測定物に接触させて測定する。測定結果は、表示部５に表示される表示値を読むことによって得られる。
【００６８】
測定作業が終了すると、ユーザは、テストリード３Ａ、３Ｂを、ホルダ６０により、テスタ本体２の側面に固定して保持させる。これにより、テスタ本体の磁気センサ５１は、テストリード３Ｂの磁石５２と近接状態に保持され、従って、電源回路１２はＯＦＦとなり、テスタ本体２は非動作状態とされる。
【００６９】
このように、本実施例によれば、対をなすテストリード３Ａ、３Ｂに電源ＯＮ・ＯＦＦのためのスイッチ５０を測定レンジ切替のためのスイッチ４１とは別個に設け、特に、電源スイッチとして近接スイッチ５０を使用することにより、接点不良による故障をなくしている。また、電源スイッチは、本実施例では、磁気スイッチ５０とされ、一側のテストリード３Ａに磁気センサ５１を設置し、他側のテストリード３Ｂには磁石５２を設置し、両テストリード３Ａ、３Ｂを使用時には分離して使用することにより、磁気スイッチをＯＮさせることができる。また、不使用時には、両テストリード３Ａ、３Ｂを近接、或いは、接触させて一体に固定された状態にて収納されるので、従来のようなスイッチ接点の接触不良をなくすことができると共に極めて操作性に優れており、また、利便性が高い。
【００７０】
本実施例においても、実施例２にて説明したように、表示部５をテスタ本体２とは別個に設けることも可能である。これにより、表示部５は、測定作業時に見易い位置に設置することができる。
【００７１】
ただ、この場合には、表示部５をテスタ本体２から分離したために、テスタ本体２には、図示してはいないが、測定結果を表示部５へと送信するための送信回路、表示部５には、新たに、電源スイッチ５５、及び、図示してはいないが、電源回路、受信回路等を設ける構成とされる。
【００７２】
また、上記各実施例では、装置本体２の電源をＯＮ、ＯＦＦさせる制御信号は電気信号であるとして説明したが、勿論、光信号であってもよい。
【符号の説明】
【００７３】
１                  デジタルマルチメータ、携帯用テスタ（測定装置）
２                  メータ本体、テスタ本体（装置本体）
３（３Ａ、３Ｂ）    テストリード
４                  操作部
５                  表示部
１０                電気回路部
１２                電源回路
３０（３０Ａ、３０Ｂ）      プローブケーブル（リード線）
３１（３１Ａ、３１Ｂ）      電極部
３２（３２Ａ、３２Ｂ）      把持部
５０                        磁気スイッチ（近接スイッチ）
５１                        磁気センサ（センサ部）
５２                        磁石（作用部）
【図１】
2013113822.tif 000003
【図２】
2013113822.tif 000004
【図３】
2013113822.tif 000005
【図４】
2013113822.tif 000006
【図５】
2013113822.tif 000007
【図６】
2013113822.tif 000008
【図７】
2013113822.tif 000009